(57)【要約】      （修正有）【課題】被捕獲動物が檻内に侵入した際、蹴り糸と接触しなくても、被捕獲動物が侵入している状態を視認できた場合、強制的に開閉扉を閉塞できる捕獲檻の閉塞装置を提供する。【解決手段】捕獲檻内に、被捕獲動物が侵入し、捕獲檻本体にセットされた仕掛け２の蹴り糸に接触することにより、仕掛けが作動して開閉扉１０が閉塞されるよう構成された捕獲檻１の閉塞装置において、開閉扉１０を開口状態にしてセットする扉閉塞用の連結部材２ａと、連結部材２ａを係止する係止突起を有する既存の仕掛け２と、係止突起の扉閉塞用の連結部材２ａと連動する仕掛け２を起動させるレバーと、レバーを作動させて開閉扉１０を閉塞する作動手段３からなる捕獲檻の閉塞装置から構成される。【選択図】図１
0003203800.tif 000002
【実用新案登録請求の範囲】
【請求項１】
捕獲檻内に、被捕獲動物が侵入し、捕獲檻本体にセットされた仕掛け（２）の蹴り糸に接触することにより、該仕掛けが作動して開閉扉（10）が閉塞されるよう構成された捕獲檻（１）の閉塞装置において、
前記開閉扉（10）を開口状態にしてセットする扉閉塞用の連結部材（２ａ）と、
前記扉閉塞用の連結部材（２ａ）を係止する係止突起（２ｄ）を有する既存の前記仕掛け（２）と、
前記係止突起（２ｄ）の前記扉閉塞用の連結部材（２ａ）と連動する前記仕掛け（２）を起動させるレバー（２ｂ）と、
前記レバー（２ｂ）を作動させて開閉扉（10）を閉塞する作動手段（３）からなる
ことを特徴とする捕獲檻の閉塞装置。
【請求項２】
前記作動手段（３）は、
前記仕掛け（２）に隣接し、縦片（30ａ）と横片（30ｂ）からなる全体の形状がＬ字状であって、前記捕獲檻（１）に枢着されたＬ字杆（30）と、
前記Ｌ字杆（30）の前記縦片（30ａ）で、前記仕掛け（２）の前記レバー（２ｂ）と連結するレバー連結部材（４）と、
前記横片（30ｂ）の先端付近で、下方に向け吊下された錘（５）と、
前記横片（30ｂ）の先端付近で、前記錘（５）の落下を一時留める永電磁式リフティングマグネット（６）からなり、
前記永電磁式リフティングマグネット（６）を作動させる電源を、有線・無線で操作する
ことを特徴とする請求項１記載の捕獲檻の閉塞装置。
【請求項３】
前記作動手段（３）は、
前記仕掛け（２）に隣接し、縦片（30ａ）と横片（30ｂ）からなる全体の形状がＬ字状であって、前記捕獲檻（１）に枢着されたＬ字杆（30）と、
該Ｌ字杆（30）の前記縦片（30ａ）で、前記仕掛け（２）のレバー（２ｂ）と連結する前記レバー連結部材（４）と、
前記横片（30ｂ）の先端付近に、吊下された錘（５）と、
前記横片（30ｂ）の先端付近に、前記レバー（２ｂ）を操作する操作部材（８）を設けた
ことを特徴とする請求項１記載の捕獲檻の閉塞装置。
【考案の詳細な説明】
【技術分野】
【０００１】
この考案は、捕獲檻の閉塞装置に関するものである。
【０００２】
近年、気候の変化や土地開発の煽りを受けて、被捕獲動物である猪等の野性動物の餌がなくなり住宅地や田畑等に侵入し農作物を食い荒らすことによる被害が増大しており、以前より種々の捕獲檻が開発され、そして販売されている。
【０００３】
しかし、農作物の被害は、猪だけではなく、猿、鹿等による被害も増大しており、その対策として仕掛けを有する捕獲檻が公開されている。例えば、特許文献１のように。
【先行技術文献】
【特許文献】
【０００４】
【特許文献１】実用新案登録第３０６８８４６号公報
【０００５】
しかし、この装置は、本願出願人が所有する捕獲檻であり、その技術内容は檻本体内に蹴り糸を配置した仕掛け設け、檻本体内に侵入した被捕獲動物が蹴り糸に触れることによって、開閉扉が閉塞されるよう構成されたものであった。
【０００６】
しかし、被捕獲動物が蹴り糸に接触することなく檻内に侵入していたり、また、接触しても接触力が弱く、絶好の捕獲チャンスでありながら仕掛けが作動しないという事態もあった。
【考案の概要】
【考案が解決しようとする課題】
【０００７】
そこで、この考案が解決しようとする課題は、被捕獲動物が檻内に侵入した際、従来の蹴り糸と接触しない、あるいは接触しても弱く、仕掛けが作動しない場合、被捕獲動物が侵入している状態を視認できた場合、手動・電動手段で開閉扉を閉塞できる捕獲檻の閉塞装置を開発・提供することにある。
【課題を解決するための手段】
【０００８】
この考案の捕獲檻の閉塞装置は、
捕獲檻内に、被捕獲動物が侵入し、捕獲檻本体にセットされた仕掛けの蹴り糸に接触することにより、該仕掛けが作動して開閉扉が閉塞されるよう構成された捕獲檻の閉塞装置において、
前記開閉扉を開口状態にしてセットする扉閉塞用の連結部材と、
前記連結部材を係止する係止突起を有する既存の前記仕掛けと、
前記係止突起の前記扉閉塞用の連結部材と連動する前記仕掛けを起動させるレバーと、  前記レバーを作動させて開閉扉を閉塞する作動手段からなる
ことを特徴とする。
【０００９】
そして、
前記作動手段は、
前記仕掛けに隣接し、縦片と横片からなる全体の形状がＬ字状であって、前記捕獲檻に枢着されたＬ字杆と、
前記Ｌ字杆の前記縦片で、前記仕掛けの前記レバーと連結するレバー連結部材と、
前記横片の先端付近で、下方に向け吊下された錘と、
前記横片の先端付近で、前記錘の落下を一時留める永電磁式リフティングマグネットからなり、
前記永電磁式リフティングマグネットを作動させる電源を、有線・無線で操作する
ことを特徴とする。
【００１０】
さらに、
前記作動手段は、
前記仕掛けに隣接し、縦片と横片からなる全体の形状がＬ字状であって、前記捕獲檻に枢着されたＬ字杆と、
該Ｌ字杆の前記縦片で、前記仕掛けのレバーと連結する前記レバー連結部材と、
前記横片の先端付近に、吊下された錘と、
前記横片の先端付近に、レバーを操作する操作部材を設けた
ことを特徴とする。
【考案の効果】
【００１１】
この考案によると、捕獲檻（１）に開口状態で仕掛けた際、視認によって被捕獲動物が檻内にいると判断できた時には、蹴り糸を張りめぐらせた仕掛けに頼らず、手動、あるいは電動（無線・有線）により素早く開閉扉（10）を閉塞することができ、侵入した被捕獲動物を確実に、大量に捕獲できる等の効果を奏する。
【図面の簡単な説明】
【００１２】
【図１】この考案の使用状態の一実施例を示す斜視図である。
【図２】この考案に使用する仕掛けの一実施例を示す斜視図である。
【図３】この考案に使用する仕掛けの一実施例を示す説明図である。
【図４】この考案の無線による遠隔操作の一実施例を示す説明図である。
【図５】この考案の電源による遠隔操作の一実施例を示す説明図である。
【図６】この考案の手動による遠隔操作の一実施例を示す説明図である。
【考案を実施するための形態】
【００１３】
以下、この考案について詳細に説明する。尚、この考案においては、以下の記述に限定されるものではなく、この考案の要旨を逸脱しない範囲においては適宜変更可能である。
【実施例】
【００１４】
先ず、この考案の一実施例を図面に基づいて詳述すると、捕獲檻内に、被捕獲動物が侵入し、捕獲檻本体にセットされた仕掛け（２）の蹴り糸に接触することにより、該仕掛けが作動して開閉扉（10）が閉塞されるよう構成された捕獲檻（１）の閉塞装置において、前記開閉扉（10）を開口状態にしてセットする扉閉塞用の連結部材（２ａ）と、前記扉閉塞用の連結部材（２ａ）を係止する係止突起（２ｄ）を有する既存の前記仕掛け（２）と、前記係止突起（２ｄ）の前記扉閉塞用の連結部材（２ａ）と連動する前記仕掛け（２）を起動させるレバー（２ｂ）と、前記レバー（２ｂ）を作動させて開閉扉（10）を閉塞する作動手段（３）からなることを特徴とする捕獲檻の閉塞装置から構成される。なお、開閉扉（10）は、図１には２箇所に設けたものを示したが、当然、１箇所、あるいは３箇所以上設けたものであってもよい。
【００１５】
そして、前記作動手段（３）の一実施例は、前記仕掛け（２）に隣接し、縦片（30ａ）と横片（30ｂ）からなる全体の形状がＬ字状であって、前記捕獲檻（１）に枢着されたＬ字杆（30）と、前記Ｌ字杆（30）の前記縦片（30ａ）で、前記仕掛け（２）の前記レバー（２ａ）と連結するレバー連結部材（４）と、前記横片（30ｂ）の先端付近で、下方に向け吊下された錘（５）と、前記横片（30ｂ）の先端付近で、前記錘（５）の落下を一時留める永電磁式リフティングマグネット（６）からなり、前記永電磁式リフティングマグネット（６）を作動させる電源を、有線・無線で操作することを特徴とするものである。
【００１６】
さらに、前記作動手段（３）の他の実施例としては、前記仕掛け（２）に隣接し、縦片（30ａ）と横片（30ｂ）からなる全体の形状がＬ字状であって、前記捕獲檻（１）に枢着されたＬ字杆（30）と、該Ｌ字杆（30）の前記縦片（30ａ）で、前記仕掛け（２）のレバー（２ｂ）と連結するレバー連結部材（４）と、前記横片（30ｂ）の先端付近で、下方に向け吊下された錘（５）と、前記横片（30ｂ）の先端付近にレバー（２ｂ）を操作する操作部材（８）を設け、前記操作部材（８）を手動により操作することを特徴とするものである。
【００１７】
そして、前記作動手段（３）の一実施例の作動順序を詳述すると、前記Ｌ字杆（30）が手動あるいは電動によって負荷がかかることにより作動させる。即ち，雨よけカバーに設けあるるいは、他の手段で設けられた永電磁式リフティングマグネット（６）は、常時磁力が働いており、これを無線・有線により、送信器から受信器に電源をＯＮにする信号を送ることにより外れ、前記Ｌ字杆（30）の前記横片（30ｂ）が錘（５）の自重により下方にさがり、前記レバー（２ｂ）が移動杆（２ｈ）を押し、係止杆（２ｅ）が係止状態を保つことができず、係合回転部材（２ｃ）が回転して扉閉塞用の連結部材（２ａ）（２ａ′）が係止突起（２ｄ）から外れることにより、開閉扉（10）（10）は下がり、檻本体（１）は閉塞されるものである。
【００１８】
また、前記作動手段（３）の他の実施例の作動順序を詳述すると、この実施例では前記永電磁式リフティングマグネット（６）を備えておらず、開閉扉（10）の閉塞の際には、前記Ｌ字杆（30）の前記横片（30ｂ）に自重により吊り下がる錘（５）を、操作部材（８）でバランスよく引っ張っておくことでセットされているが、被捕獲動物が檻内に侵入したことを確認すると、前記操作部材（８）を手動により緩めることにより、前記錘（５）が下方に下がり、前記Ｌ字杆（30）の前記縦片（30ａ）が前記レバー（２ｂ）を引っ張ることにより、前記レバー（２ｂ）がスプリング（２ｉ）に抗して前記移動杆（２ｈ）を押し、前記移動杆（２ｈ）は、係止杆（２ｅ）とのが係止状態を保つことができずに外れ、それに従って、前記係合回転部材（２ｃ）が回転して扉閉塞用の連結部材（２ａ）（２ａ′）が係止突起（２ｄ）から外れることにより、開閉扉（10）（10）は下がり、檻本体（１）は閉塞されるものである。
【００１９】
このように、前記永電磁式リフティングマグネット（６）を使用しない場合であっても、図６に示すように操作部材（８）の一端を、前記Ｌ字杆（30）の横片（30ｂ）に連結しておき、離れた箇所より、被捕獲動物の捕獲檻（１）への侵入を視認したら前記操作部材（８）を手動で弛緩することにより、開閉扉（10）を閉塞するものである。
【００２０】
なお、前記扉閉塞用の連結部材（２ａ，２ａ′）、レバー連結部材（４）、牽引部材（７）、そして操作部材（８）は、主としてワイヤーであるが、他の部材であってもこれらの目的を達成が可能な部材であったら特に問題はない。
【産業上の利用可能性】
【００２１】
この考案の捕獲檻の閉塞装置の技術を確立し、実施することにより、産業上利用できるものである。
【符号の説明】
【００２２】
１  捕獲檻
10  開閉扉
２  仕掛け
２ａ，２ａ′扉閉塞用の連結部材
２ｂ  レバー
２ｃ  係合回転部材
２ｄ  係止突起
２ｅ  係止杆
２ｆ，２ｆ′側面板
２ｇ，２ｇ′傾斜溝
２ｈ  移動杆
２ｉ  スプリング
３  作動手段
30  Ｌ字杆
30ａ  縦片
30ｂ  横片
４  レバー連結部材
５  錘
６  永電磁式リフティングマグネット
７  牽引部材
８  操作部材
【図１】
0003203800.tif 000003
【図２】
0003203800.tif 000004
【図３】
0003203800.tif 000005
【図４】
0003203800.tif 000006
【図５】
0003203800.tif 000007
【図６】
0003203800.tif 000008